(57)【要約】【課題】収納製品の重量や衝撃が蓋板に加わった場合に、蓋板のロック強度を向上させることにより、底抜けが発生するのを防ぐことのできる包装箱を提供する。【解決手段】正面壁面部６に設けた一対の切込み２４、２５間に揺動片２６を形成し、この揺動片２６の先端に差込み片２８を設け、上蓋４とその先端に連設した折込み片１８の間に前記差込み片２８を差込むことのできる差込孔２９を設けた包装箱において、前記正面壁面部６に揺動片２６を形成するため設けた切込み２４、２５の長さを両側で異なるように設定し、両切込み２４、２５の内端を結ぶ折り目線３０を正面壁面部６の端縁の長さ方向に対して傾斜させるようにする。【選択図】図１
2016094235.tif 000002
【特許請求の範囲】
【請求項１】
箱本体を形成する周壁が互いに対向する第１壁面部と第２壁面部を有し、前記第１壁面部に、端縁から一対の切込みを施すことによって両切込み間に形成された揺動片と、この揺動片の先端に折り曲げ線を介して連成した差込み片を設け、前記第２壁面部に設けた蓋板とその先端に連設した折込み片の間に前記差込み片を差込むことのできる差込孔を形成した包装箱において、前記第１壁面部に揺動片を形成する一対の切込みの長さを両側で異なる長さに設け、両切込みの内端を結ぶ折り目線を第１壁面部の端縁の長さ方向に対して傾斜させたことを特徴とする包装箱。
【請求項２】
上記差込み片が、揺動片の先端で箱本体の内方に向けて折れ曲がる状態で、前記傾斜する折り目線を支点に揺動片を介して揺動することで、平面的に幅方向の動きが付加されるようになっていることを特徴とする請求項１に記載の包装箱。
【請求項３】
上記蓋板が、箱本体に対する底蓋と上蓋の何れか一方又は両方であり、蓋板の配置に対応するように、第１壁面部における両端部の一方又は両方に揺動片を形成するための一対の切込みが施されていることを特徴とする請求項１又は２に記載の包装箱。
【発明の詳細な説明】
【技術分野】
【０００１】
この発明は、各種製品を収納して販売等に供するために用いる紙製の包装箱、更に詳しくは、蓋板の閉蓋状態におけるロック強度を向上させ、比較的重量のある小物製品を収納しても底抜けのような事態の発生を有効に防ぐことができる包装箱に関する。
【背景技術】
【０００２】
例えば、比較的重量のある小物製品として、釘やねじ、ボルト、ナットのような金属製の製品を例示することができ、このような製品は、厚紙や段ボールを用いた紙製の包装箱に所定量の製品を収納した状態で輸送や陳列、販売に供する流通形態が採られている。
【０００３】
上記のような製品を収納するために用いられている一般的な紙製の包装箱は、箱本体となる角筒状周壁の下部開口を底蓋構造で閉鎖し、前記周壁の上部開口は上蓋で開閉自在に閉鎖できる構造になっている。
【０００４】
ところで、上記した包装箱は、販売のための陳列時に吊下げたり、直置状態から持ち上げた時に、製品の重量を底蓋構造で直接支持することになるため、この底蓋構造には製品の重量が掛かっても閉蓋状態を保持することのできる十分な閉蓋強度が要求される。
【０００５】
このため、従来の包装箱に採用されている底蓋構造は、角筒状の箱本体を形成する各壁面部の下端に底フラップ片を設け、各底フラップ片を内側に折り曲げて重ね合わせ、箱本体の下部開口を閉鎖すると同時に、対向位置にあった一組の底フラップ片を、それぞれに設けた切り欠き部分で係合させ、この係合部分によって前記下部開口の閉蓋状態を保持する構造になっている（例えば、特許文献１参照）。
【０００６】
また、上記した底蓋構造における閉蓋の保持強度を向上させるために、必要ならば底フラップ片の重なり面を接着剤で固定することも行われている。
【０００７】
次に、上記のような包装箱の上蓋に関しては、製品の取り出しのために開閉自在であると当時に、包装箱を上下逆にしたときに製品の重量がかかることになるので、上蓋には閉蓋状態を保持するロック構造部を設けて、上蓋が製品の重量で開かないようにするのが一般的である。
【０００８】
包装箱の上蓋に採用されている従来のロック構造部は、箱本体における正面壁面部の上端部に、端縁から内方へ一対の切込みを等しい長さで平行に設けることによって両切込み間に揺動片を形成し、前記揺動片の先端に折り曲げ線を介して差込み片を設け、箱本体の上部開口を開閉自在に閉鎖する上蓋の先端に折り曲げ線を介して折曲片を連設し、上蓋と折曲片の折り曲げ部分に前記差込み片を挿入するための差込孔を設けた構造になっている（例えば、特許文献１と２参照）。
【０００９】
このようなロック構造部で閉蓋状態の上蓋をロックするには、先ず、上蓋を閉蓋位置に倒して折曲片を箱本体内へ正面壁面部の内面側に沿って差込み、前記上蓋で箱本体の上端開口を閉じ、次に、揺動片の先端に折り曲げ線の部分から折り曲げた差込み片を外方に押すと、揺動片が外方に傾動することで差込み片は折り目線を支点として回動し、このようにして差込み片の先端を上蓋の差込孔に臨ませ、この状態で、差込み片と揺動片を箱本体に向けて押し込むようにすることで前記差込み片を差込孔に差込み、揺動片を正面壁面部と同一面となるようにすればよく、重なり状となる上蓋と差込み片の開き方向が反対となる突っ張り作用で閉蓋状態を保持し、更に、前記差込孔に対する差込み片の抜け止め作用によって上蓋をロックして製品の重量を支持するようにしている。
【００１０】
また、製品の取り出し時に上蓋を開蓋にするには、上蓋の差込孔に設けた切欠き部分に露呈する揺動片の上端と差込み片の上面の部分を指先で外方に押し、差込孔から差込み片を抜き取るようにすればよく、差込み片が抜ければロックが解けて上蓋を開くことができることになる。
【先行技術文献】
【特許文献】
【００１１】
【特許文献１】特許第５０３３８６５号公報
【特許文献２】特開２００３−２６７３５４号公報
【発明の概要】
【発明が解決しようとする課題】
【００１２】
ところで、上記特許文献１のような底蓋構造は、包装箱を吊下げたり持ち上げた時に、製品の重量が各底フラップ片に対して押し開くように作用すると、底フラップ片に設けた切り欠き部分の係合力で閉蓋状態を維持しようとするものであるが、前記各底フラップ片の押し開き力は係合力を解く方向に働くことになり、このとき、特許文献１で例示したような底蓋構造には、開蓋方向への荷重によって係合力が増強するような機能がないため、閉蓋の保持強度が弱いという難点があり、例えば、包装箱を保持して上下動させるような衝撃を与えると、製品の重量によって加わる衝撃で底蓋構造が開いた底抜けが発生することがあり、製品がこぼれ出る事態になるという問題がある。
【００１３】
また、底フラップ片の重なり部分を接着剤で固定した場合、当初の閉蓋強度は向上するが、包装箱が長い期間にわたって陳列や保管されていると、接着剤は経時的に劣化して接着力が低下し、接着効果がなくなることで上記したと同様に底抜けの事態が発生することになる。
【００１４】
次に、上記した包装箱は、その取り扱い時に上下を反転した状態に保持することがあり、このように上下を反転させると上蓋に製品の重量や衝撃がかかり、このとき、上蓋の閉蓋状態をロック構造部で保持しなければならないことになる。
【００１５】
特許文献２で例示したような上蓋のロック構造部は、上下反転状態で製品の重量が上蓋に開蓋方向の力として加わると、上蓋と差込孔に差込んだ差込み片が押し下げられ、前記上蓋と差込み片は互いに離解しようとし、このため、差込み片に差込孔から抜ける方向の力が働くと、差込み片を先端に連成した揺動片は、切込みの内端を結ぶ折り目線を支点に外方へ傾動するよう逃げ、これによって前記差込み片が差込孔から簡単に抜け、上蓋の閉蓋が解けて製品が落下する、底抜けと同様の事態が発生する。
【００１６】
上記のように差込み片が差込孔から簡単に抜けるのは、揺動片を形成するため正面壁面部に設ける一対の切込みの長さが等しくし、両切込みの内端を結ぶ折り目線が正面壁面部の端縁の長さ方向に対して平行している構造のためである。
【００１７】
なぜならば、揺動片が両切込みの内端を結ぶ折り目線を支点に外方へ傾動するよう逃げる場合、支点となる折り目線が正面壁面部の端縁の長さ方向に対して平行していると、差込み片は抜けるときに幅方向への動きが全く生じず、差込孔に対して抜け方向へ直線的に移動することになり、このため、前記差込み片と差込孔の関係において、差込み片が抜ける場合に抜け止め効果を増加させる機能の発生がなく、上蓋に開蓋方向の荷重が加わると差込孔から差込み片が簡単に抜け出ることになる。
【００１８】
そこで、この発明は、上記のような紙製の包装箱において、底蓋構造や上蓋の底抜けの発生に鑑み、上記先行技術のような底蓋構造及び上蓋のロック構造部の構造を鋭意研究して底抜けのメカニズムを解明し、試行錯誤を繰り返すことで、その問題点の解決に至ったものであり、差込み片と差込孔の関係において、収納製品の重量や衝撃が底蓋又は上蓋である蓋板に加わった場合に、差込み片に差込み孔に対する抜け止めのための係止作用が生じるようにし、閉蓋状態にある蓋板のロック強度を向上させることにより、底抜けの発生を防ぐことのできる包装箱を提供することを課題としている。
【課題を解決するための手段】
【００１９】
上記のような課題を解決するため、請求項１の発明は、箱本体を形成する周壁が互いに対向する第１壁面部と第２壁面部を有し、前記第１壁面部に、端縁から一対の切込みを施すことによって両切込み間に形成された揺動片と、この揺動片の先端に折り曲げ線を介して連成した差込み片を設け、前記第２壁面部に設けた蓋板とその先端に連設した折込み片の間に前記差込み片を差込むことのできる差込孔を形成した包装箱において、前記第１壁面部に揺動片を形成する一対の切込みの長さを両側で異なる長さに設け、両切込みの内端を結ぶ折り目線を第１壁面部の端縁の長さ方向に対して傾斜させたものである。
【００２０】
請求項２の発明は、上記差込み片が、揺動片の先端で箱本体の内方に向けて折れ曲がる状態で、前記傾斜する折り目線を支点に揺動片を介して揺動することで、平面的に幅方向の動きが付加されるようにしたものである。
【００２１】
請求項３の発明は、上記蓋板が、箱本体に対する底蓋と上蓋の何れか一方又は両方であり、蓋板の配置に対応するように、第１壁面部における両端部の一方又は両方に揺動片を形成するための一対の切込みが施されている構造としたものである。
【００２２】
ここで、上記した箱本体は、厚紙や段ボールを用いて角形の筒状に形成され、蓋板は底蓋又は上蓋の一方又は両方に該当し、蓋板と折込み片間の折り曲げ線に沿って設けた差込孔の途中には、蓋板側に切欠き部が連ねて形成され、閉蓋状態で差込孔に差込み片を挿入したロック状態で、前記切欠き部が差込み片によって閉鎖され、開蓋時に差込み片の切欠き部に位置する部分を指先で抜き操作することにより、蓋板の開蓋操作を容易にしている。
【００２３】
また、第１壁面部の一対の切込みは、端縁から直角に内方へ所定の幅を存して互いに平行するよう設けられ、この切込み間に形成された揺動片とその先端に連成した差込み片間の折り曲げ線は、揺動片が切込み間に納まって第１壁面部と同一面にあるとき、この第１壁面部の端縁と略一致する関係にあり、これにより、閉蓋位置にある蓋板の差込孔に対して差込み片を抜き差しすることができることになる。
【００２４】
上記第１壁面部に対して両側の切込み間に形成された揺動片は、傾斜する折り目線を支点に傾斜動しようとするとき、短尺の切込み側よりも長尺の切込み側の傾動量が多くなることで、正面から見て短尺の切込み側に接近するような捻り動が加わり、前記揺動片の先端で折れ曲がる差込み片は揺動片の前記捻りによって長尺の切込み側へ幅方向に振れることになり、この振れが差込孔の端部に対して食い込むことで抜け止め力として働くことになる。
【発明の効果】
【００２５】
この発明によると、蓋板の差込孔に差込み片を挿入した閉蓋状態で、収納製品の重量や衝撃が前記蓋板に対して開蓋方向に加わり、差込み片が差込孔から抜け出るように作用すると、前記差込み片は揺動片を外方に押し出すことになり、このとき、揺動片が傾斜する折り目線を支点に傾動し、短尺の切込み側よりも長尺の切込み側の傾動量が多くなることで、短尺の切込み側に接近するような捻り動が加わり、揺動片の前記捻りによって差込み片の一方側縁が差込孔の一方端部側へ食い込むように圧接係合することになり、この圧接係合が差込孔に対する差込み片の抜け止め力となって蓋板の閉蓋状態を保持するので、閉蓋状態のロック強度が大幅に向上し、蓋板に収納製品の重量や衝撃が加わっても底抜けの発生を確実に防止することができる。
【００２６】
また、収納製品の重量や衝撃が加わることで、差込み片の側縁が差込孔の端部へ食い込むように圧接係合してロック状態を保持するので、蓋板のロック強度が収納製品の重量や衝撃に比例して向上し、重量のある製品の収納にも適応した包装箱となる。
【００２７】
更に、箱本体の両端における底蓋と上蓋の両方に、この発明のロック構造部を設けるようにすると、包装箱は上下の方向性がなくなり、箱本体外面への印刷やテーピング外装等の加工時における取り扱いが容易になる。
【図面の簡単な説明】
【００２８】
【図１】この発明に係る包装箱の閉蓋状態にある底蓋及び上蓋をロック構造部でロックした状態を示す斜視図
【図２】この発明に係る包装箱の箱体ブランクを示す平面図
【図３】（ａ）はロック構造部を形成する揺動片と差込片の構造を示し、揺動片が切れ目間に納まり、その先端の差込み片が揺動片の延長状にある箱体ブランク時の状態の拡大平面図、（ｂ）は正面壁面部に対して揺動片を切れ目間から外側に傾動させたときの揺動片と差込片に捻りが生じた状態を示す拡大平面図
【図４】（ａ）はロック構造部の構造を示し、閉蓋状態にある上蓋に対して揺動片とその先端で折り曲げた差込片を外側に傾動させたロック解除の状態の斜視図、（ｂ）はロック構造部のロックした状態を拡大した図１の包装箱における縦断面図
【図５】ロック構造部において、揺動片とその先端に折り曲げた差込片を閉蓋状態にある上蓋に対して外側に傾動させたロック解除の状態を示す拡大した平面図
【発明を実施するための形態】
【００２９】
以下、この発明の実施の形態を添付図面に基づいて説明する。
【００３０】
図１と図４のように、包装箱１は、両端が開口する角形筒状に形成された箱本体２の下部開口を底蓋（蓋板）３で、また、上部開口を上蓋（蓋板）４でそれぞれ開閉自在とし、前記箱本体２と底蓋３の間及び箱本体２と上蓋４の間に、それぞれ閉蓋状態のロック構造部５を設けた構造を有し、全体が一枚の厚紙や段底蓋ボール等から打ち抜くことで連成されている。
【００３１】
図２の箱体ブランクに示すように、上記箱本体２は、正面壁面部（第１壁面部）６の一方側縁に折り曲げ線７を介して設けた側面壁面部８と、この側面壁面部８の側縁に折り曲げ線９を介して設けた背面壁面部（第２壁面部）１０と、前記背面壁面部１０の側縁に折り曲げ線１１を介して設けた側面壁面部１２及び、前記正面壁面部６の他方側縁に折り曲げ線１３を介して設けた糊代部１４とからなり、各折り曲げ線の部分で折り曲げて糊代部１４を側面壁面部１２の端部に接着固定することにより角形筒状に組み立てられ、正面壁面部６と背面壁面部１０が前後に対面すると共に、上下の両端が底部開口と上部開口になっている。
【００３２】
上記背面壁面部１０には、下端縁に箱本体２の底部開口を開閉する下蓋３と上端縁に上部開口を開閉する上蓋４がそれぞれ折り曲げ線１５、１６を介して設けられ、前記底蓋３と上蓋４の先端に、箱本体２の内部に向けて差し込むための折込み片１７、１８がそれぞれ折り曲げ線１９、２０を介して設けられている。
【００３３】
図示の場合、底蓋３の両側縁と両側面壁面部８，１２の下端縁の間及び、上蓋４の両側縁と両側面壁面部８、１２の上端縁の間に、一対の折り曲げ線２１を介して略三角形の内折り片２２がそれぞれ設けられ、この内折り片２２は、包装箱１全体の補強と収納製品のこぼれ出を防ぐためのものであり、組み立てた箱本体２に対して展張状態で底蓋３及び上蓋４を背面壁面部１０の延長状になる開蓋姿勢に保持し、底蓋３及び上蓋４の閉蓋位置への折り畳み時に、途中に設けた折目線２３で内側へ二つに折り畳むことで、底蓋３及び上蓋４の内面に重なることになる。
【００３４】
上記した包装箱１の閉蓋状態にある底蓋３及び上蓋４を固定するロック構造部５は、共に等しい構造を有し、正面壁面部６の端部に一対の切込み２４と２５施すことにより、両切込み２４と２５に設けられた揺動片２６と、この揺動片２６の先端に折り曲げ線２７を介して設けた差込み片２８と、底蓋３と折込み片１７の間又は上蓋４と折込み片１８の間に前記差込み片２８を差込むことのできるように設けた差込孔２９との組み合わせによって形成されている。
【００３５】
上記した一対の切込み２４と２５は、正面壁面部６の幅方向中間部の位置に、下端縁又は上端縁から直角で内側に向けて延びるよう所定の間隔で平行状態に設けられ、この一対の切込み２４と２５は長さが異なるように施され、一方が長尺の切込み２４、他方が短尺の切込み２５となり、両切込み２４と２５の内端を結び、揺動片２６の揺動支点となるように形成した折り目線３０が、前記正面壁面部６の下端縁又は上端縁の長さ方向に対して傾斜している。
【００３６】
なお、上記長尺の切込み２４と短尺切込み２５の配置間隔と長さは、包装箱１の大きさや使用する紙材料の強度、収納する製品の重量等を勘案して任意に設定すればよいが、例えば、切込み２４と短尺切込み２５の長さは、差込み片２８の差込孔２９に対する抜き差し操作に支障がない条件で、必要とするロック強度が得られるよう、図３（ａ）に示すように、例えば、折り目線３０の傾斜角度Ｌは正面壁面部６の下端縁又は上端縁の長さ方向に対して５〜１０度前後になるように設定するのが好ましい。
【００３７】
上記一対の切込み２４と２５間に形成された揺動片２６とこの揺動片２６の先端に設けた差込み片２８は幅が等しく、この差込み片２８は両側縁の根本部分に平行な直線部分を残す条件で、その途中から先端の形状を、両側斜めカット状や円弧状とすることで、差込孔２９に対する差し込み操作が円滑に行えるような形状になっており、前記揺動片２６と差込み片２８の折り目線２７の途中には、揺動片２６に対して差込み片２７を内折りしたとき、揺動片２６の先端に開蓋用の指掛け片３１を突出状に形成するための切れ目が施されている。
【００３８】
上記下蓋３と折込み片１７の間及び上蓋４と折込み片１８の間に設けた差込孔２９は、下蓋３及び上蓋４の幅方向の中間位置に、差込み片２８を抜き差しすることができる長さに形成され、この差込孔２８の途中で下蓋３及び上蓋４側に、差込孔２９に挿入した差込み片２８の外面を一部露出させる円弧状のような切欠き部３２が連ねて形成され、開蓋時において、差込み片２８を差込孔２９から指先で容易に抜き操作できるようにしている。
【００３９】
上記した差込孔２９は、長さを差込み片２８の幅寸法が丁度嵌り合うか圧入するように設定すると共に、差込み片２８の厚みに対して対してもこの差込み片２８が丁度嵌り合うか圧入するような開口幅になるよう設定するのが好ましい。
【００４０】
図示の場合、ロック構造部５は、図示例のように底蓋３と上蓋４の両方に採用したが、底蓋３と上蓋４の何れか一方にだけ採用するようにしてもよく、特に、底蓋３側にロック構造部５を採用することにより、従来の包装箱における底蓋構造で生じた底抜けの発生を有効に防止することができるという利点があり、また、ロック構造部５を設けない側においては既存の適宜閉蓋構造を採用すればよい。
【００４１】
この発明の包装箱１は、上記のような構成であり、各折り曲げ線を内折りして糊代部１４を側面壁面部１２の端部に接着固定することにより角形筒状の箱本体２を組み立て、次に、内折り片２２を折り畳みながら底蓋３を閉蓋位置に向けて倒し、その先端の折込み片１７を箱本体２内に挿入することで下端開口部を閉じる閉蓋状態とし、この後、ロック構造部５を係止することで閉蓋状態をロックする。
【００４２】
このようにして組み立てられた箱本体２内に上端開口から所定量の製品を充填した後、上記した底蓋３と同じ手順で上蓋４を閉蓋位置に倒してロック構造部５を係止し、上端開口部の閉蓋状態をロックすれば、図１に示すように、組み上がった包装箱１による製品の包装形態となる。
【００４３】
上記ロック構造部５の係止を行うには、底蓋３又は上蓋４を閉蓋位置にした状態で、揺動片２６に対して差込片２８を内側に向けて折り曲げ、図４（ａ）のように、この差込片２８を箱本体２の外方に移動させることで、揺動片２６を外方へ折り目線３０を支点に傾動させ、前記差込片２８の先端を底蓋３又は上蓋４の差込孔２９に臨ませ、この状態で揺動片２６と差込片２８を差込孔２９に向けて押し込むことで前記差込片２８を差込孔２９に挿入し、揺動片２６が正面壁面部６と同一面になるようにすれば、図１と図４（ｂ）のように、包装箱１は外部に対して突出部分の発生がない状態で底蓋３及び上蓋４がロックされる。
【００４４】
上記ロック構造部５の係止時において、差込片２８を箱本体２の外方に移動させて揺動片２６を折り目線３０を支点に外方へ傾動させると、揺動片２６は短尺の切込み２５側よりも長尺の切込み２４側の傾動量が多くなることで、図３（ｂ）や図５のように、短尺の切込み２５側に接近するような捻り動が生じ、このため、揺動片２６の先端に略直角に折り曲げた差込片２８には、差込孔２９に挿入されるときに前記した捻り動が加わることになるが、差込片２８は先端側の幅寸法を狭くすると共に、差込完了に近づくにつれて前記捻り動も終息するので、差込孔２９への挿入が無理なく行えることになり、差込孔２９の長さに対して差込片２８の幅方向が圧入されることで、差込片２８の抜け止め状態が保持される。
【００４５】
ロック構造部５のロック状態において、底蓋３と上蓋４のそれぞれの差込孔２９に挿入した差込片２８は、底蓋３の内面及び上蓋４の内面に重なり状となり、底蓋３と上蓋４に設けた切り欠き部３２は差込片２８によって閉鎖され、収納製品がこぼれ出るようなことはない。
【００４６】
包装箱１は、上記の製品収納状態で輸送や販売に供され、持ち上げたり吊り下げたときに底蓋３とその内面に重なる差込片２８に製品の重量による開蓋方向の荷重が掛かるが、差込片２８は底蓋３に押し付けられた摩擦力と、差込孔２９に対する圧入で得られる抜け方向の係止力により、差込孔２９からの抜け止め状態を保つことで、底蓋３の閉蓋状態を維持することになり、しかも、このような抜け止め状態の保持はロック強度の経時的な低下の発生が生じにくいことになる。
【００４７】
また、包装箱１を持ち上げて上下に振ったような場合、底蓋３と上蓋４及びそれぞれの内面に重なる差込片２８に静荷重よりも大きな開蓋方向の衝撃が加わり、底蓋３又は上蓋４と差込片２８に大きな押し開き力が作用し、底蓋３又は上蓋４とこれに重なる差込片２８は相反する方向に開こうとして突っ張り合い、前記重なり部分の摩擦力が閉蓋状態の維持に貢献するが、大きな押し開き力によって差込片２８は差込孔２９から抜けようとする。
【００４８】
上記差込片２８は、差込孔２９から抜けようとすると揺動片２６を外方へ押し出すことになるが、揺動片２６は外方へ押し出されると折り目線３０を支点として外方に傾斜動し、この揺動片２６を形成するために設けた両側の切れ目２４と２５はその長さが異なり、両切れ目２４と２５の内端を結ぶ折り目線３０が正面壁面部６の端縁に対して傾斜しているので、揺動片２６は折り目線３０を支点に外方へ傾動するとき長尺の切れ目２４側から短尺の切れ目２５側に向けた捻り動が発生することになり、これにより、前記揺動片２６の先端で略直角に折れ曲がる差込片２８には差込孔２９からの抜けに対して、平面的に長尺の切れ目２４側への幅方向の平面的な振れ移動が加わることになる。
【００４９】
上記のように、差込片２８は長尺の切れ目２４側への平面的な振れ移動が加わると、振れた側の側縁が差込孔２９の一方端部に対して食い込むように圧接係合し、この圧接係合力が差込片２８の差込孔２９からの抜け止め力となって働き、ロック強度を上げることで底蓋３及び上蓋４の開蓋を阻止することになる。
【００５０】
このように、底蓋３及び上蓋４に開蓋方向の荷重が加わることで、差込片２８の差込孔２９からの抜け止め力が発生するので、通常の取り扱いに対する閉蓋状態の維持は当然のことながら、開蓋方向の衝撃に対しても、衝撃力に対応してロック強度を上げることで、比較的重量のある製品を収納する包装箱１に対して底抜けのような事態の発生を有効に防ぐことができる。
【００５１】
また、上記差込片２８の差込孔２９からの抜けは、揺動片２６の折り目線３０を支点として外方に回動する動きも加わることになり、このような回動の動きは、差込片２８を底蓋３及び上蓋４の内面に押し付ける力となり、この押し付ける力と製品の重量が加わって生じる前記重なり面の摩擦力が差込片２８の抜け止め防止となるロック強度の向上に寄与することになる。
【００５２】
なお、製品を収納した包装箱１の閉蓋状態にロックされた上蓋４を開くには、差込片２８の上面で上蓋４に設けた切り欠き部３２に露出する部分に指先を押し当て、揺動片２６の上端に少し飛び出た指掛け片３１に爪先をかけるようにして差込片２８を差込孔２９から引き抜き、ロックを解除して上蓋４を開けばよい。
【００５３】
この場合、差込片２８を差込孔２９から引き抜くと揺動片２８が外方に傾動し、傾斜折り目線３０を支点に揺動片２６が傾動することで、差込片２８に短尺の切れ目２５への平面的な振れ移動が生じるが、このとき、振れた側の側縁が差込孔２９の一方端部に対して食い込むように圧接係合しても、その圧接係合力よりも強い力で差込片２８を引き抜くか、包装箱１を形成する紙質の柔軟性を利用して、指先で振れと反対側の力を加えるようにしながら差込片２８を引き抜くようにすればよく、前記差込片２８には製品の重量が掛かっていないので差込片２８の引き抜は支障なく行える。
【符号の説明】
【００５４】
１    包装箱
２    箱本体
３    底蓋
４    上蓋
５    ロック構造
６    正面壁面部
７    折り曲げ線
８    側面壁面部
９    折り曲げ線
１０  背面壁面部
１１  折り曲げ線
１２  側面壁面部
１３  折り曲げ線
１４  糊代部
１５  折り曲げ線
１６  折り曲げ線
１７  折込み片
１８  折込み片
１９  折り曲げ線
２０  折り曲げ線
２１  折り曲げ線
２２  内折り片
２３  折目線
２４  切込み
２５  切込み
２６  揺動片
２７  折り曲げ線
２８  差込み片
２９  差込孔
３０  折り目線
３１  指掛け片
３２  切欠き部
【図１】
2016094235.tif 000003
【図２】
2016094235.tif 000004
【図３】
2016094235.tif 000005
【図４】
2016094235.tif 000006
【図５】
2016094235.tif 000007